【誤訳訂正書】
【提出日】平成26年10月22日(2014.10.22)
【誤訳訂正１】
【訂正対象書類名】明細書
【訂正対象項目名】０００１
【訂正方法】変更
【訂正の内容】
【０００１】
本発明は、インターネット情報の採集技術に関し、更に詳しくは、電子掲示板のリプライ（ｒｅｐｌｙ）を増分的に採集する方法及びシステムに関する。
【誤訳訂正２】
【訂正対象書類名】明細書
【訂正対象項目名】０００２
【訂正方法】変更
【訂正の内容】
【０００２】
インターネットが出現し、特に、インターネット掲示板・インターネットコミュニティが広く設けられるにつれて、世界中の人々は一緒に自由に様々な考え方を発表し交流できることになっている。中国でのインターネットの電子掲示板は一百万以上に達している。そして、８０％のウェブサイトは独立的な電子掲示板を持っている。時々インターネットの電子掲示板を見るユーザー数は一億以上になっている。他の形式と異なり、インターネットの電子掲示板は、スピードが速くて、範囲が広い特徴を持っている。注目されている話題は、短い期間で一万以上のイントネット利用者にリプライされて検討されるので、リプライの情報も何百何千ページに達することが可能である。その場合、インターネット利用者は、話題が立てる人の言論であるメインポストの内容だけでなく、他のインターネット利用者のこの話題に対するリプライを見たがっている。ところで、通常の検索エンジンでは、ページめくりのリプライ情報を検索することが困難である。偶に見つかっていても、時効性の問題があるので、望ましいものではなく、データ遅延の問題もある。現在の電子掲示板採集システムも、スレッドのトップページの情報しか採集できず、メインポストへのリプライの情報を採集していない。
【誤訳訂正３】
【訂正対象書類名】明細書
【訂正対象項目名】０００３
【訂正方法】変更
【訂正の内容】
【０００３】
本発明は従来の技術の上記した欠陥に鑑みながらなされたものであり、迅速に正確に完全に電子掲示板における投稿の全てのメインポスト・リプライの情報を採集することができる電子掲示板のリプライを増分的に採集する方法及びシステムを提供することを目的とする。本発明は、従来の検索エンジンが投稿のページターニングのリプライ情報を採集する時に存在する検索漏れや検索不能などの問題を解決し、従来の電子掲示板採集システムにおいてスレッドのトップページ情報が採集されるが、リプライ情報が採集されない問題を解決することができる。
【誤訳訂正４】
【訂正対象書類名】明細書
【訂正対象項目名】０００４
【訂正方法】変更
【訂正の内容】
【０００４】
前記の目的を達成するために、本発明は電子掲示板のリプライを増分的に採集する方法であって、投稿のトップページＵＲＬと投稿のリプライ数情報に基づいて、採集が必要な全ての電子掲示板のリストページに新規投稿、及び／又は新規リプライがなされた投稿が存在するかどうかを周期的に判定するステップと、新規投稿が存在すると判定されたときに、新規投稿からメインポスト及びリプライ情報を抽出し、また、新規リプライがなされた投稿が存在すると判定されたときに、新規リプライ起点と新規リプライ数を計算し、新規リプライ起点と新規リプライ数に基づいて、新規リプライがなされた投稿から新規リプライ情報を抽出するステップとを含むことを特徴とする。
また、前記の目的を達成するために、本発明は電子掲示板のリプライの増分的採集システムであって、投稿のトップページＵＲＬと投稿のリプライ数情報に基づいて、採集が必要な全ての電子掲示板のリストページに新規投稿、及び／又は新規リプライがなされた投稿が存在するかどうかを周期的に判定する判定装置と、新規投稿に対しては、当該新規投稿からメインポスト及びリプライ情報を抽出し、また、新規リプライがなされた投稿に対しては、新規リプライ起点と新規リプライ数に基づいて、新規リプライがなされた投稿から新規リプライの情報を抽出する抽出装置とを備えることを特徴とする。
【誤訳訂正５】
【訂正対象書類名】明細書
【訂正対象項目名】０００６
【訂正方法】変更
【訂正の内容】
【０００６】
【図１】具体的な実施形態における電子掲示板のリプライの増分的採集システムの構成を示すブロック図である。
【図２】具体的な実施形態における電子掲示板のリプライを増分的に採集する方法を示すフローチャートである。
【図３】具体的な実施形態においてリストページには新規投稿と、新規リプライがなされた投稿とが存在するかどうかを判定する方法を示すフローチャートである。
【図４】具体的な実施形態において新規投稿からメインポスト及びリプライ情報を抽出し、新規リプライがなされた投稿から新規リプライ情報を抽出する方法を示すフローチャートである。
【誤訳訂正６】
【訂正対象書類名】明細書
【訂正対象項目名】０００８
【訂正方法】変更
【訂正の内容】
【０００８】
図１に示すように、本実施形態にかかる電子掲示板のリプライの増分的採集システムは、判定装置１１と、判定装置１１に接続される抽出装置１２とを備えている。その中、判定装置１１は、第１キュー（ｑｕｅｕｅ）手段１１１と、第１取得手段１１２と、リストページ抽出手段１１３と、判定手段１１４とを含んでいる。抽出装置１２は、第２キュー手段１２１と、走査手段１２２と、第２取得手段１２３と、内容ページ抽出手段１２４と、重複除去手段１２５とを含んでいる。
【誤訳訂正７】
【訂正対象書類名】明細書
【訂正対象項目名】００１０
【訂正方法】変更
【訂正の内容】
【００１０】
抽出装置１２は、新規投稿に対して、新規投稿からメインポスト及びリプライ情報を抽出し、新規リプライがなされた投稿に対して、新規リプライ起点と新規リプライ数を計算し、新規リプライ起点と新規リプライ数に基づいて、新規リプライがなされた投稿から新規リプライ情報を抽出する。その中、第２キュー手段１２１は、新規投稿のトップページＵＲＬと新規リプライがなされた投稿のＵＲＬを内容ページ採集キューに追加する。走査手段１２２は、内容ページ採集キューを定期的に走査する。第２取得手段１２３は、内容ページ採集キューから各ＵＲＬを抽出する。内容ページ抽出手段１２４はＵＲＬに対応するウェブページ内容を取得し、上記ウェブページ内容からメインポスト及び／又はリプライ及び／又はページターニングＵＲＬを抽出する。重複除去手段１２５は、電子掲示板のページターニングモードが次ページターニングである場合に、ウェブページ内容からページターニングＵＲＬを抽出して、重複除去処理を行う。第２キュー手段１２１は重複除去処理後のページターニングＵＲＬを内容ページ採集キューに追加する。
【誤訳訂正８】
【訂正対象書類名】明細書
【訂正対象項目名】００１１
【訂正方法】変更
【訂正の内容】
【００１１】
図２に示すように、本実施形態において、図１に示すシステムに基づく電子掲示板のリプライを増分的に採集する方法は、以下の各ステップを含む。
【誤訳訂正９】
【訂正対象書類名】明細書
【訂正対象項目名】００２５
【訂正方法】変更
【訂正の内容】
【００２５】
（２）採集が必要な電子掲示板リストページには新規投稿と、及び／又は新規リプライがなされた投稿とが存在すると、抽出装置１２は新規投稿からメインポストとリプライ情報を抽出し、新規リプライがなされた投稿から新規リプライ情報を抽出する。
【誤訳訂正１０】
【訂正対象書類名】明細書
【訂正対象項目名】００３５
【訂正方法】変更
【訂正の内容】
【００３５】
（ｉｖ）内容ページ抽出手段１２４は、抽出されたＵＲＬに対応するウェブページ内容を取得して、上記ウェブページ内容からメインポスト及び／又はリプライ情報及び／又はページターニングＵＲＬを抽出し、ページターニングＵＲＬを内容ページ採集キューに追加する。
【誤訳訂正１１】
【訂正対象書類名】明細書
【訂正対象項目名】００３６
【訂正方法】変更
【訂正の内容】
【００３６】
本実施形態において、ウェブページ内容からメインポスト及び／又はリプライを抽出する具体な方法は以下のとおりである。
【誤訳訂正１２】
【訂正対象書類名】明細書
【訂正対象項目名】００３７
【訂正方法】変更
【訂正の内容】
【００３７】
当該ＵＲＬは投稿のトップページＵＲＬであり、且つ初めて採集される場合に、この投稿を新規投稿として、このＵＲＬに対応するウェブページ内容からメインポストとリプライ情報を抽出する。具体的には、まず、この投稿においてメインポストとリプライが同じスタイルであるかどうかを確定する。同じスタイルであれば、同一の抽出方式にて逐一に情報を抽出し、抽出した第１の情報をメインポストとし、他の情報をリプライとする。同じスタイルでなければ、所定の規則に従ってメインポストの情報を抽出してから、各リプライの情報を抽出する。メインポストとリプライが同じスタイルであるかどうかについては、人工的に規定することができる。所定の規則は人工的に設けられたキワード又は正規表現である。
【誤訳訂正１３】
【訂正対象書類名】明細書
【訂正対象項目名】００３９
【訂正方法】変更
【訂正の内容】
【００３９】
【数１】
2014506355.tif 000001
【誤訳訂正１４】
【訂正対象書類名】明細書
【訂正対象項目名】００４２
【訂正方法】変更
【訂正の内容】
【００４２】
【数２】
2014506355.tif 000002
【誤訳訂正１５】
【訂正対象書類名】明細書
【訂正対象項目名】００４５
【訂正方法】変更
【訂正の内容】
【００４５】
【数３】
2014506355.tif 000003
【誤訳訂正１６】
【訂正対象書類名】明細書
【訂正対象項目名】００４９
【訂正方法】変更
【訂正の内容】
【００４９】
【数４】
2014506355.tif 000004
【誤訳訂正１７】
【訂正対象書類名】明細書
【訂正対象項目名】００５２
【訂正方法】変更
【訂正の内容】
【００５２】
【数５】
2014506355.tif 000005
【誤訳訂正１８】
【訂正対象書類名】特許請求の範囲
【訂正対象項目名】全文
【訂正方法】変更
【訂正の内容】
【特許請求の範囲】
【請求項１】
判定装置と、抽出装置とを備えたシステムにおけるコンピューターによって実行される電子掲示板のリプライを増分的に採集する方法であって、
投稿のトップページＵＲＬと投稿のリプライ数情報に基づいて、採集が必要な全ての電子掲示板のリストページに新規投稿、及び／又は新規リプライがなされた投稿が存在するかどうかを周期的に判定する第１ステップ（１）と、
新規投稿が存在すると判定されたときに、新規投稿からメインポスト及びリプライ情報を抽出し、また、新規リプライがなされた投稿が存在すると判定されたときに、新規リプライ起点と新規リプライ数を計算し、新規リプライ起点と新規リプライ数に基づいて、新規リプライがなされた投稿から新規リプライ情報を抽出する第２ステップ（２）と、
を含むことを特徴とする電子掲示板のリプライを増分的に採集する方法。
【請求項２】
採集が必要な全ての電子掲示板のリストページに新規投稿及び／又は新規リプライがなされた投稿を周期的に判定する前記第１ステップ（１）において、
採集が必要な全ての電子掲示板のリストページＵＲＬを取得するステップ（ａ）と、
前記各リストページＵＲＬに対して、当該リストページＵＲＬに対応するウェブページ内容を取得し、前記ウェブページ内容から各投稿のトップページＵＲＬと現在のリプライ数を抽出するステップ（ｂ）と、
前記投稿のトップページＵＲＬに基づいて、採集した投稿の情報リストに各投稿が存在するかどうかを判定し、存在すると判定されたときに、当該投稿の現在のリプライ数が、採集した投稿情報に記録している今回のリプライ数より大きいかどうかを判定し、当該投稿の現在のリプライ数が今回のリプライ数より大きい場合に、当該投稿に新規リプライがあるとして、採集した投稿の情報リストに当該投稿の前回のリプライ数と今回のリプライ数を更新し、また、採集した投稿の情報リストに当該投稿がないと判定されたときに、当該投稿が新規投稿として、当該投稿のトップページＵＲＬと現在のリプライ数を、採集した投稿の情報リストに追加するステップ（ｃ）と、
をさらに含むことを特徴とする請求項１に記載の電子掲示板のリプライを増分的に採集する方法。
【請求項３】
前記採集が必要な全ての電子掲示板リストページＵＲＬを取得するステップ（ａ）において、
前記採集が必要な各電子掲示板リストページに対していずれも採集時間間隔を設け、各リストページの採集時間間隔をモニターし、あるリストページが採集時間間隔に達した時に、当該リストページＵＲＬをリストページ採集キューに追加し、
前記リストページ採集キューを定期的に走査し、前記リストページ採集キューが空でなければ、ＦＩＦＯの順番で前記リストページ採集キューからリストページＵＲＬを順に抽出する
ことを特徴とする請求項２に記載の電子掲示板のリプライを増分的に採集する方法。
【請求項４】
前記採集時間間隔は、リストページが属する電子掲示板の更新頻度によりダイナミックに調整され、
電子掲示板の更新頻度が速ければ速いほど、採集時間間隔が短くなり、
電子掲示板の更新頻度が遅ければ遅いほど、採集時間間隔が長くなる
ことを特徴とする請求項３に記載の電子掲示板のリプライを増分的に採集する方法。
【請求項５】
前記リストページ採集キューから抽出されるリストページＵＲＬは、当該リストページＵＲＬが属するウェブサイトの正当のアクセスの条件を満たすことが必要である
ことを特徴とする請求項３に記載の電子掲示板のリプライを増分的に採集する方法。
【請求項６】
新規投稿からメインポストとリプライを抽出し、新規リプライがなされた投稿から新規リプライの情報を抽出する前記第２ステップ（２）においては
新規投稿のトップページＵＲＬと新規リプライがなされた投稿のＵＲＬを内容ページ採集キューに追加するステップ（ｉ）と、
前記内容ページ採集キューを定期的に走査するステップ（ｉｉ）と、
前記内容ページ採集キューが空でない場合、前記内容ページ採集キューから各ＵＲＬを抽出するステップ（ｉｉｉ）と、
抽出されたＵＲＬに対応するウェブページ内容を取得し、前記ウェブページ内容からメインポスト及び／又はリプライ情報及び／又はページターニングＵＲＬを抽出し、ページターニングＵＲＬを前記内容ページ採集キューに追加するステップ（ｉｖ）と
を含むことを特徴とする請求項２乃至請求項５のいずれか１項に記載の電子掲示板のリプライを増分的に採集する方法。
【請求項７】
前記新規投稿のトップページＵＲＬと、新規リプライがなされた投稿のＵＲＬとを内容ページ採集キューに追加するステップ（ｉ）においては、
新規投稿については、当該投稿のトップページＵＲＬが前記内容ページ採集キューに存在する場合、当該投稿のトップページＵＲＬを抽出し、採集した投稿の情報リストに記録した当該投稿の今回のリプライ数を現在のリプライ数で置換し、当該投稿のトップページＵＲＬを前記内容ページ採集キューに挿入するが、当該投稿のトップページＵＲＬが前記内容ページ採集キューに存在しない場合、当該投稿のトップページＵＲＬを直接に前記内容ページ採集キューに追加し、
新規リプライがなされた投稿については、当該投稿が属する電子掲示板のページターニングモードが計算ページターニングの場合、新規リプライがなされた投稿のトップページＵＲＬを直接に前記内容ページ採集キューに追加するが、当該投稿が属する電子掲示板のページターニングモードが次ページターニングの場合、ページターニングＵＲＬ情報リストを調べて、前記ページターニングＵＲＬ情報リストにおける最後のページターニングＵＲＬを前記内容ページ採集キューに追加する
ことを特徴とする請求項６に記載の電子掲示板のリプライを増分的に採集する方法。
【請求項８】
前記内容ページ採集キューが空でない場合、前記内容ページ採集キューから各ＵＲＬを抽出するステップ（ｉｉｉ）においては、
ＦＩＦＯの順番で前記内容ページ採集キューからＵＲＬを順に抽出し、且つ、当該ＵＲＬが属するウェブサイトの正当のアクセスの条件を満たす
ことを特徴とする請求項６に記載の電子掲示板のリプライを増分的に採集する方法。
【請求項９】
前記抽出されたＵＲＬに対応するウェブページ内容を取得し、前記ウェブページ内容からメインポスト及び／又はリプライ情報及び／又はページターニングＵＲＬを抽出し、ページターニングＵＲＬを前記内容ページ採集キューに追加するステップ（ｉｖ）においては、
当該ＵＲＬが投稿のトップページＵＲＬであって、初めて採集されるものである場合、当該ＵＲＬに対応するウェブページ内容からメインポストとリプライ情報を抽出し、
当該ＵＲＬが投稿のトップページＵＲＬであるが、初めて採集されるものではない場合、以下の式により新規リプライ起点Ｓ’Fromと新規リプライ数Ｃ’ParseCountを確定し、新規リプライ起点Ｓ’FromからＣ’ParseCount個の新規リプライの情報を抽出し、
【数１】
2014506355.tif 000006
Ｃ’ParseCount＝ＲCurNum−ＲPreNum
ここで、前記ＲPreNumは当該投稿の前回採集時のリプライ数を示し、前記ＲCurNumは当該投稿の現在のリプライ数を示し、前記ＮPerPageは当該投稿のページ毎のリプライの数を示し、
当該ＵＲＬが投稿のトップページＵＲＬではない場合、当該投稿に対応するページ番号が現在抽出すべきページのページ番号と同一であるかどうか判断することにより、オーバーラップページＵＲＬであるかどうかを判定し、
現在抽出すべきページのページ番号の計算式は以下の通りであり、
【数２】
2014506355.tif 000007
ここで、前記ＰBeginは現在抽出すべきページのページ番号を示し、前記ｃｅｉｌはラウンドアップ演算を示し、
当該ＵＲＬがオーバーラップページである場合、以下の式により新規リプライ起点Ｓ’’Fromと新規リプライ数Ｃ’’ParseCountを計算し、新規リプライ起点Ｓ’’FromからＣ’’ParseCount個の新規リプライ情報を抽出し、
【数３】
2014506355.tif 000008
ここで、前記％は剰余演算を示し、
当該ＵＲＬが投稿のトップページＵＲＬでもなく、オーバーラップページＵＲＬでもない場合、以下の式により、新規リプライ起点Ｓ’’’Fromと新規リプライ数Ｃ’’’ParseCountを計算し、
【数４】
2014506355.tif 000009
2014506355.tif 000010
新規リプライ起点Ｓ’’’FromからＣ’’’ParseCount個の新規リプライの情報を抽出する
ことを特徴とする請求項６に記載の電子掲示板のリプライを増分的に採集する方法。
【請求項１０】
前記抽出されたＵＲＬに対応するウェブページ内容を取得し、前記ウェブページ内容からメインポスト及び／又はリプライ情報及び／又はページターニングＵＲＬを抽出し、ページターニングＵＲＬを前記内容ページ採集キューに追加するステップ（ｉｖ）においては、
掲示板が計算ページターニングモードであって、ＵＲＬが投稿のトップページＵＲＬである場合、以下の式によりページターニングの開始ページ番号ＰBeginと終了ページ番号ＰEndを計算し、
【数５】
2014506355.tif 000011
もしＳFrom＝０且つＲPreNum＞０であれば、ＳFrom＝ＮPerPage，ＰBegin＝ＰBegin＋１とし、
ここで、前記ＳFromは新規リプライ起点を示し、上記の式によりページターニングの開始ページ番号と終了ページ番号を算出してから、予め決められたページターニングＵＲＬ規則に基づいて全てのページターニングＵＲＬを合成させ、
掲示板のページターニングモードが次ページターニングである場合、ウェブページ内容からページターニングＵＲＬを抽出する
ことを特徴とする請求項９に記載の電子掲示板のリプライを増分的に採集する方法。
【請求項１１】
前記ページターニングＵＲＬ規則において、ページターニングＵＲＬは第１部分と、第２部分と第３部分と三つの部分に分けられており、前記第１部分と前記第３部分は変化しない部分であり、夫々ｓｔｒＢｅｆｏｒｅＰａｇｅとｓｔｒＡｆｔｅｒＰａｇｅと記しており、前記第２部分は変化する部分であり、ｎＰａｇｅＵｐと記しており、
前記ページターニングＵＲＬの合成方法は以下の通りであり、
【数６】
2014506355.tif 000012
ここで、前記ｉはターニングページ番号を示し、ＰBegin≦ｉ≦ＰEnd、前記ｎＰａｇｅＮｏは新規リプライが位置するページの番号を示し、前記ｎＦｉｒｓｔＰｏｓｔＰａｇｅＩｎｄｅｘは投稿のトップページの番号を示し、前記ｎＦｉｒｓｔＰｏｓｔＰａｇｅＩｎｄｅｘの値は０又は１となり、前記ｎＰａｇｅＵｐは合成されるＵＲＬ内に記録した、ページターニングを示すページ番号の値であり、前記ｎＰａｇｅＵｓＢａｓｅＮｕｍはページターニング基数を示し、前記ｓｔｒＰｏｓｔＰａｇｅＵｒｌは合成されたＵＲＬを示す
ことを特徴とする請求項１０に記載の電子掲示板のリプライを増分的に採集する方法。
【請求項１２】
ウェブページ内容より前記ページターニングＵＲＬを抽出してから、前記内容ページ採集キューに追加する前には、更に、前記ページターニングＵＲＬに対して重複除去処理を行う
ことを特徴とする請求項１０に記載の電子掲示板のリプライを増分的に採集する方法。
【請求項１３】
前記重複除去処理においては、
前記ページターニングＵＲＬ情報で当該ページターニングＵＲＬが属する投稿にページターニングＵＲＬ情報リストが存在するかどうかを調べ、
前記ページターニングＵＲＬ情報リストが存在しない場合、当該ページターニングＵＲＬが属する投稿のページターニングＵＲＬ情報リストを立て、当該ページターニングＵＲＬをページターニングＵＲＬ情報リストと前記内容ページ採集キューに追加し、
ページターニングＵＲＬ情報リストが存在する場合、当該ページターニングＵＲＬのページ番号が当該ページターニングモードが属する投稿のページターニングＵＲＬのページ番号より大きいかどうかを判定し、大きい場合に、当該ページターニングＵＲＬが属する投稿のページターニングＵＲＬ情報リストを更新し、ページターニングＵＲＬを内容ページ採集ジョブキューに追加し、大きくない場合、直接に当該ページターニングＵＲＬを削除する
ことを特徴とする請求項１２に記載の電子掲示板のリプライを増分的に採集する方法。
【請求項１４】
投稿のトップページＵＲＬと投稿のリプライ数情報に基づいて、採集が必要な全ての電子掲示板のリストページに新規投稿、及び／又は新規リプライがなされた投稿が存在するかどうかを周期的に判定する判定装置（１１）と、
新規投稿に対しては、当該新規投稿からメインポストとリプライの情報を抽出し、また、新規リプライがなされた投稿に対しては、新規リプライ起点と新規リプライ数に基づいて、新規リプライがなされた投稿から新規リプライの情報を抽出する抽出装置（１２）と、
を備えることを特徴とする電子掲示板のリプライの増分的採集システム。
【請求項１５】
前記判定装置（１１）は、
採集が必要な全ての電子掲示板リストページＵＲＬをリストページ採集キューに追加する第１キュー手段（１１１）と、
リストページ採集キューから各リストページＵＲＬを抽出する第１取得手段（１１２）と、
抽出された各リストページＵＲＬに対して、このリストページＵＲＬに対応するウェブページ内容を取得し、上記ウェブページ内容から各投稿のトップページＵＲＬと現在のリプライ数を抽出するリストページ抽出手段（１１３）と、
投稿のトップページＵＲＬに基づいて、採集した投稿の情報リストに各投稿が存在するかどうかを判定し、存在すると判定されたときに、当該投稿の現在のリプライ数が、採集した投稿情報に記録している今回のリプライ数より大きいかどうかを判定し、当該投稿の現在のリプライ数が今回のリプライ数より大きい場合に、当該投稿に新規リプライがあるとして、採集した投稿の情報リストに当該投稿の前回のリプライ数と今回のリプライ数を更新し、また、採集した投稿の情報リストに当該投稿がないと判定されたときに、当該投稿が新規投稿として、当該投稿のトップページＵＲＬと現在のリプライ数を、採集した投稿の情報リストに追加する判定手段（１１４）と、
を備えることを特徴とする請求項１４に記載の電子掲示板のリプライの増分的採集システム。
【請求項１６】
前記抽出装置（１２）は、
新規投稿のトップページＵＲＬと、新規リプライがなされた投稿のＵＲＬとを前記内容ページ採集キューに追加する第２キュー手段（１２１）と、
前記内容ページ採集キューを定期的に走査する走査手段（１２２）と、
前記内容ページ採集キューから各ＵＲＬを抽出する第２取得手段（１２３）と、
ＵＲＬに対応するウェブページ内容を取得し、前記ウェブページ内容からメインポスト及び／又はリプライ及び／又はページターニングＵＲＬを抽出する内容ページ抽出手段（１２４）と、
を備えることを特徴とする請求項１４に記載の電子掲示板のリプライの増分的採集システム。
【請求項１７】
前記抽出装置（１２）は、電子掲示板のページターニングモードが次ページターニングモードである場合、ウェブページ内容からページターニングＵＲＬを抽出して、重複除去処理を行う重複除去手段（１２５）を更に備え、
前記第２キュー手段（１２１）は、重複除去処理後のページターニングＵＲＬを前記内容ページ採集キューに追加することを特徴とする請求項１６に記載の電子掲示板のリプライの増分的採集システム。